(57)【要約】【課題】本発明の目的は、温水浴を行うスペースを侵食することなく、効率的に赤外線を人体に放射する赤外線放射浴槽及び赤外線放射浴槽を用いた風呂設備を提供することである。【解決手段】浴槽（１０）は、浴槽本体（１１）と断熱材（１２）を備えている。浴槽本体（１１）の内部又は外側に、水又は不凍液を循環させるための配管（２０）が張り巡らされている。【選択図】図１
2019013697.tif 000002
【特許請求の範囲】
【請求項１】
浴槽本体の内部又は外側に、水又は不凍液を循環させるための配管が張り巡らされている、浴槽。
【請求項２】
浴槽本体の周りが断熱材で被われている、請求項１に記載の浴槽。
【請求項３】
請求項１または請求項２に記載の浴槽と、
第一の加熱装置と、
第二の加熱装置と、
前記浴槽に温水を入れる蛇口と、
前記第一の加熱装置と前記蛇口を繋げる第一の配管と、
前記第二の加熱装置と前記浴槽の内部又は外側に張り巡らされている配管を繋げる第二の配管を備え、
前記第一の配管と前記第二の配管は、別系統である、風呂設備。
【発明の詳細な説明】
【技術分野】
【０００１】
本発明は、浴槽及び風呂設備に関し、特に赤外線放射機能を備えた浴槽及びこれを用いた風呂設備に関する。
【背景技術】
【０００２】
従来、赤外線放射機能を備えた風呂が知られている（例えば、特許文献１）。
【先行技術文献】
【特許文献】
【０００３】
【特許文献１】特開平１１−１７８７３４
【発明の概要】
【発明が解決しようとする課題】
【０００４】
しかし、特許文献１に示す風呂では、浴槽内に充填材を充填させなければならず、浴槽内のスペースが侵食されるという問題や充填剤を清潔に保ち続けなければならないという問題がある。
【０００５】
本発明の目的は、温水浴を行うスペースを侵食することなく、効率的に赤外線を人体に放射する赤外線放射浴槽及び赤外線放射浴槽を用いた風呂設備を提供することである。
【課題を解決するための手段】
【０００６】
上記目的は、浴槽本体（１１）の内部又は外側に、水又は不凍液を循環させるための配管（２０）が張り巡らされている、浴槽（１０）によって達成される。
【０００７】
また、上記目的は、浴槽本体（１１）の周りが断熱材（１２）で被われている、上記に記載の浴槽（１０）によっても達成される。
【０００８】
また、上記目的は上記に記載の浴槽（１０）と、第一の加熱装置（３０）と、第二の加熱装置（４０）と、前記浴槽に温水を入れる蛇口（５０）と、前記第一の加熱装置（３０）と前記蛇口（５０）を繋げる第一の配管（３２ａ）と、前記第二の加熱装置（４０）と前記浴槽の内部又は外側に張り巡らされている配管（２０）を繋げる第二の配管（４２ａ、４２ｂ）を備え、前記第一の配管（３２）と前記第二の配管（４２ａ、４２ｂ）は、別系統である、風呂設備（１００）によっても達成される。
【発明の効果】
【０００９】
本発明によれば、浴槽内における温水浴をするためのスペースを確保しつつも、効率的に赤外線を人体に放射する赤外線放射浴槽及び赤外線放射浴槽を用いた風呂設備を提供することができる。
【図面の簡単な説明】
【００１０】
【図１】本発明の実施形態による浴槽１０を説明する図である。
【図２】本発明の実施形態による浴槽１０を用いた風呂設備１００を説明する図である。
【図３】本発明の実施形態による浴槽１０の変形例を説明する図である。
【図４】本発明の実施形態による浴槽１０に用いる配管２０を有する配管ユニットを説明する図である。
【発明を実施するための形態】
【００１１】
以下、図１〜図４を用いて、本発明の実施形態による浴槽１０及び浴槽１０を用いた風呂設備１００を説明する。なお、以下の全ての図面においては、理解を容易にするため、各構成要素の寸法や比率などは適宜異ならせて図示している。
【００１２】
図１（ａ）は、浴槽１０の斜視図であり、図１（ｂ）は、図１（ａ）に示す浴槽１０のＡ−Ａ断面図である。図１（ａ）に示す隠れ線は、浴槽本体１１の内部に設けられた配管２０を示している。
【００１３】
図１に示すように、浴槽１０は、浴槽本体１１と浴槽本体１１を被う断熱材１２と浴槽本体１１の内部に水または不凍液を循環させる配管２０を備えている。浴槽本体１１には、１００℃以下の温度環境において、波長帯域（特に１μｍ〜１５μｍ）の赤外線が多く放射される材質を用い、例えば、セメント、ガラス繊維強化プラスチック（ＦＲＰ）、ホーロー、大理石、木製、タイル、セラミックス等が用いられる。また、断熱材１２には、例えば、グラスウール、ロックウール、硬質ウレタンフォーム、ポリスエチレンフォーム、高発泡ポリエチレン、フェノールフォーム、セメント、自然土等が用いられる。また、浴槽本体１１の外側面を断熱効果の高い塗料で塗装してもよい。また、浴槽本体１１には、上記に示した材質に木炭、自然石、自然土、石灰、カルシウム等を約１〜４０ｗｔ％の範囲で配合させてもよい。配管２０には、鉄、銅、アルミニウム、ステンレス等の熱伝導性の高い材質が用いられる。なお、配管２０に水蒸気を含んだ空気を循環させる場合があってもよい。
【００１４】
浴槽本体１１は、右壁１１ａ、左壁１１ｂ、前壁１１ｃ、後壁１１ｄ、及び底壁１１ｅで構成され、右壁１１ａ、左壁１１ｂ、前壁１１ｃ、後壁１１ｄ、及び底壁１１ｅの内部に配管２０（２０ａ〜２０ｅ）が略蛇行状に張り巡らされている。また、浴槽本体１１の壁面、及び断熱材１２の壁面には、配管２０に別の配管を繋げるための配管穴が２か所設けられている。このように浴槽本体１１を構成することで、配管２０に温水又は温めた不凍液を循環させることが可能となり、配管２０によって浴槽本体１１が温められる。なお、右壁１１ａ、左壁１１ｂ、前壁１１ｃに配管２０を設けず、後壁１１ｄ及び底壁１１ｅに配管２０を設けるようにしてもよいし、後壁１１ｄまたは底壁１１ｅのみに配管２０を設けるようにしてもよい。
【００１５】
図２は、図１に示した浴槽１０を用いた風呂設備１００の概略図であり、図中に示す矢印は、配管及び配管を通る水または不凍液の流れる方向を示している。
【００１６】
加熱装置３０は、浴槽１０の浴槽内に流入させる水を温める装置であり、温度調整機能を備えている。加熱装置３０には、電気ヒータ、熱交換機、ボイラー等が用いられる。加熱装置３０によって加熱された水は、ポンプ３１によって、配管３２ａ、蛇口５０を通って、浴槽１０の浴槽内に流入する。浴槽１０に貯められた水は、配管３２ｂを通って外部に排出される。
【００１７】
加熱装置４０は、浴槽１０の浴槽本体１１の内部に設けられた配管２０を循環する水または不凍液を温める装置であり、温度調整機能を備えている。加熱装置４０には、電気ヒータ、熱交換機、ボイラー等が用いられる。加熱装置４０によって加熱された水または不凍液は、ポンプ４１によって、配管４２ａ、浴槽本体１１の内部に設けられた配管２０、配管４２ｂ、及び加熱装置４０を循環する。
【００１８】
本実施形態の風呂設備１００を用いた赤外線放射システムにおいて、加熱装置４０によって温められた水または不凍液の温度は、加熱装置３０によって温められた水の温度よりも高くなるように設定する。例えば、浴槽内に流入する水の温度が４０℃の場合には、加熱装置４０によって水または不凍液を６０〜７０℃に温めるのが好適であるものの、加熱装置４０によって水または不凍液を７０℃以上に温めてもよいし、４０〜６０℃に温めてもよい。このように、本実施形態の風呂設備１００によれば、加熱装置４０によって温められた水または不凍液が配管２０を通過し、浴槽本体１１が加熱され、浴槽本体１１から放射された赤外線が温水浴を行っている人に照射されることになる。
【００１９】
また、加熱装置３０、４０、及び配管３２ａ、４２ａ、４２ｂの一部または全部にセラミックスの材質を用いてもよい。また、加熱装置３０、４０においては、赤外線ヒータ等を用いて赤外線によって水または不凍液を温めるようにしてもよい。
【００２０】
図３（ａ）〜（ｆ）は、効率的に赤外線を人体に放射する機能を備えた浴槽１０の変形例の断面図である。
【００２１】
図３（ａ）に示す浴槽１０は、配管２０を備えた浴槽本体１１と断熱材１２と赤外線放射板１３で構成されている。赤外線放射板１３は、浴槽本体１１と浴槽内の温水の熱量によって赤外線を放出する板材であり、木炭、自然石、自然土、石灰、カルシウムのうちのいずれか一つまたは複数が、それぞれ１ｗｔ％以上配合された板材が用いられる。
【００２２】
図３（ｂ）に示す浴槽１０は、配管２０を備えた浴槽本体１１と断熱材１２と赤外線放射板１３と赤外線反射板１４で構成されている。赤外線反射板１４は、浴槽本体１１の外側に密着するように設けられる。赤外線反射板１４は、浴槽本体１１で放射された赤外線を反射する薄板あるいはシートであり、銅、鉄、アルミニウム等の金属やステンレス等の合金で形成される。
【００２３】
図３（ｃ）に示す浴槽１０は、配管２０を備えた浴槽本体１１と断熱材１２と赤外線放射板１３と赤外線反射板１４で構成されている。赤外線反射板１４は、浴槽本体１１の外側及び内側に、それぞれ密着するよう設けられる。
【００２４】
図３（ｄ）に示す浴槽１０は、配管２０を備えていない浴槽本体１１と断熱材１２と配管２０と赤外線反射板１４で構成されている。赤外線反射板１４は、浴槽本体１１の外側に密着し、配管２０は、赤外線反射板１４に密着するよう設けられる。
【００２５】
図３（ｅ）に示す浴槽１０は、配管２０を備えていない浴槽本体１１と断熱材１２と赤外線反射板１４で構成されている。赤外線反射板１４は、浴槽本体１１の外側に密着するよう設けられる。また、浴槽本体１１と断熱材１２との間には隙間があり、当該隙間に温水又は温められた不凍液を循環させるようにしてもよい。
【００２６】
図３（ｆ）に示す浴槽１０は、配管２０を備えていない浴槽本体１１と断熱材１２と赤外線反射板１４で構成されている。赤外線反射板１４は、浴槽本体１１の外側に密着するよう設けられる。
【００２７】
図４（ａ）は、配管２０を備えた配管ユニット２００の正面図である。配管ユニット２００は、配管２０の配管の間に配管支持板２１を複数接着する構成である。配管支持板２１は、例えば、レンガや粘土や木等の薄板で形成される。配管支持板２１によって、配管２０が安定し、持ち運びや設置が容易になる。
【００２８】
図４（ｂ）は、配管２０を備えた配管ユニット３００の正面図である。配管ユニット３００は、配管支持板２２の表面に配管２０を接着する構成である。配管支持板２２は、例えば、鉄、銅、アルミニウム等の金属製の薄板で形成される。配管支持板２２によって、配管２０が安定し、持ち運びや設置が容易になる。さらに、配管支持板２２は金属製であるため、配管支持板２２によって、効率的に浴槽本体１１を温めることが可能となる。
【００２９】
図４（ｃ）は、配管２０を備えた配管ユニット４００の正面図である。配管ユニット４００は、配管支持板２２の表面に配管２０を接着し、配管２０の配管の間に配管支持板２１を複数接着する構成である。配管支持板２１、２２によって、配管２０が安定し、持ち運びや設置が容易になる。さらに、配管支持板２２は金属製であるため、配管支持板２２によって、効率的に浴槽本体１１を温めることが可能となる。
【００３０】
上述の実施形態は、本発明の好適な一例であるので、技術的に好ましい種々の限定が付されているが、本発明の範囲は、上述の説明によって不当に限定されるものではない。また、上述の実施形態で説明される構成の全てが本発明の必須の構成要件ではない。また、上述の実施形態で説明される構成は相互に付け足したり組み合わせたりしてもよい。
【産業上の利用可能性】
【００３１】
本発明は、浴槽及び風呂設備において広く利用可能である。
【符号の説明】
【００３２】
１０  浴槽
１１  浴槽本体
１１ａ  右壁
１１ｂ  左壁
１１ｃ  前壁
１１ｄ  後壁
１１ｅ  底壁
１２  断熱材
１３  赤外線放射板
１４  赤外線反射板
２０、３２ａ、３２ｂ、４２ａ、４２ｂ  配管
２１、２２  配管支持板
３０、４０  加熱装置
３１、４１  ポンプ
１００  風呂設備１００
２００、３００、４００  配管ユニット
【図１】
2019013697.tif 000003
【図２】
2019013697.tif 000004
【図３】
2019013697.tif 000005
【図４】
2019013697.tif 000006